(57)【要約】      （修正有）【課題】外槽の複数の振動モードにおいて振動の節となる場所への振動センサの設置を避けて配置し、高精度な振動検出を実現することで、低振動のドラム式洗濯機を提供する。【解決手段】ドラム３と、外槽２と、防振支持機構５と、駆動機構と、制御装置と、振動検出装置３０を備えた洗濯機において、前記振動検出装置は、少なくとも２つの軸で加速度を検出し、前記振動検出装置を、前記外槽の前方であり、しかも、脱水時に、正面からみたときの左右方向に対してドラムが回転することで衣類が落下する向きかつドラムの回転中心よりも下側、もしくは前記左右方向に対してドラムが回転することで衣類が持ち上がる向きかつドラムの回転中心よりも上側に、１箇所設置し、前記駆動機構は脱水時に前記左右方向に対してドラムが回転することで衣類が持ち上がる向きかつドラムの回転中心よりも下側に設置し、前記振動検出装置と前記左右方向の逆側に排水ポンプを設ける。【選択図】図２
2015096233.tif 000002
【特許請求の範囲】
【請求項１】
洗濯物を収容するドラムと、前記ドラムを内包する外槽と、前記外槽を外枠に防振支持する防振支持機構と、前記防振支持機構より後側に取り付けられ前記ドラムを回転駆動する駆動機構と、前記駆動機構を制御する制御装置と、前記外槽の振動変位を検出する振動検出装置を備えた洗濯機において、
前記振動検出装置は、少なくとも２つの軸で加速度を検出するものであって、
前記振動検出装置を、前記外槽の前方であり、しかも、脱水時に、正面からみたときの左右方向に対してドラムが回転することで衣類が落下する向きかつドラムの回転中心よりも下側、もしくは前記左右方向に対してドラムが回転することで衣類が持ち上がる向きかつドラムの回転中心よりも上側に、１箇所設置し、
前記駆動機構はベルトを介して前記ドラムを駆動し、前記駆動機構を、脱水時に前記左右方向に対してドラムが回転することで衣類が持ち上がる向きかつドラムの回転中心よりも下側に設置し、
前記振動検出装置と前記左右方向の逆側に排水ポンプを設けることを特徴とするドラム式洗濯機。
【発明の詳細な説明】
【技術分野】
【０００１】
本発明は、ドラムを内包する外槽と外枠を防振支持機構により支持した構成の洗濯機に関する。
【背景技術】
【０００２】
従来のドラム式洗濯機は、洗濯物を収容するドラムが水を貯める外槽にシャフトを介して接続されている。さらに、ドラムはシャフトを介してモータによって回転駆動される。外槽は洗濯、脱水、乾燥の各工程で生じる振動が外枠に伝達されないよう防振支持機構で外枠に支持されている。
【０００３】
ドラム式洗濯機において低振動、低騒音で脱水運転を行うためには、洗濯物をいかにしてドラム内壁に均等に張り付かせ、洗濯物の偏り（アンバランス）の少ない状態でドラムの回転速度を上昇し、脱水を行う事が課題である。そのためには、アンバランスの状態を把握し、アンバランスが大きい場合には衣類を張り付ける工程をやり直すことが重要である。これまでにも、外槽や外枠に設置した振動検出装置の出力によってアンバランスの大きさを検出し、回転速度を上昇し脱水を行うか、ドラムの回転速度を低下し、洗濯物を均等に張り付ける工程からやり直すかという判定を行う方法が提案されている。しかし、アンバランスの量や位置によって外槽の振動パターンが異なるため、１軸の加速度センサでアンバランスの量と位置を把握することは困難である。
【０００４】
そこで、アンバランスの前後位置を判定し、その結果に応じて回転速度を上昇させる判定を行う方法も提案されている。例えば、２軸以上の複数方向の振動を検知することができる振動検出手段で各振動成分の位相差から洗濯物の前後方向のアンバランス位置を特定し、アンバランス位置に応じて高速脱水へ移行する判定手段のしきい値を個別に設定する手法が提案されている（特許文献１）。
【先行技術文献】
【特許文献】
【０００５】
【特許文献１】特開２００６−３１１８８５号公報
【発明の概要】
【発明が解決しようとする課題】
【０００６】
ドラム式洗濯機では、脱水回転速度を上昇させる過程で複数の振動モードが現れ、それぞれのモードで変位が小さくなる位置が存在する。そのような位置に振動検出装置を設置した場合、外槽が振動しているにも係わらず振動検出装置の位置では振動していないため、振動検出装置の出力が小さく、外槽が振動していないと誤検知してしまう恐れがある。
【０００７】
本発明は、前記従来の課題を解決するもので、外槽の複数の振動モードにおいて振動の節となる場所への振動センサの設置を避けて配置する事を提案し、高精度な振動検出を実現することで、低振動のドラム式洗濯機を提供することを目的とする。
【課題を解決するための手段】
【０００８】
前記従来の課題を解決するために、本発明は、洗濯物を収容するドラムと、前記ドラムを内包する外槽と、前記外槽を外枠に防振支持する防振支持機構と、前記防振支持機構より後側に取り付けられ前記ドラムを回転駆動する駆動機構と、前記駆動機構を制御する制御装置と、前記外槽の振動変位を検出する振動検出装置を備えた洗濯機において、前記振動検出装置は、少なくとも２つの軸で加速度を検出するものであって、前記振動検出装置を、前記外槽の前方であり、しかも、脱水時に、正面からみたときの左右方向に対してドラムが回転することで衣類が落下する向きかつドラムの回転中心よりも下側、もしくは前記左右方向に対してドラムが回転することで衣類が持ち上がる向きかつドラムの回転中心よりも上側に、１箇所設置し、前記駆動機構はベルトを介して前記ドラムを駆動し、前記駆動機構を、脱水時に前記左右方向に対してドラムが回転することで衣類が持ち上がる向きかつドラムの回転中心よりも下側に設置し、前記振動検出装置と前記左右方向の逆側に排水ポンプを設ける。
【発明の効果】
【０００９】
本発明のドラム式洗濯機は、複数の振動モードに対して洗濯物の偏り状態に応じた正確なアンバランス検出を行うことができ、その結果に応じて適切にドラム回転速度の制御を行うことで、振動の小さい脱水運転を行うことができる。
【図面の簡単な説明】
【００１０】
【図１】本発明の一実施形態に係るドラム式洗濯機の外観を示す図であり、（ａ）は平面図、（ｂ）は正面図である。
【図２】本発明のドラム式洗濯機の内部の構造を示す側面図である。
【図３】本発明のドラム式洗濯機の内部の構造を示す正面図である。
【図４】外槽の振動モードを示す模式図である。
【図５】ｙ軸周りの回転運動が共振となる回転速度の振動の状態を示す模式図である。
【図６】本発明の振動検出手段の設置位置を示す模式図であり、（ａ）は正面図、（ｂ）は側面図である。
【図７】第２の実施形態のドラム式洗濯機の内部構造を示す正面図である。
【図８】第３の実施形態のドラム式洗濯機の内部構造を示す正面図である。
【図９】第４の実施形態のドラム式洗濯機の内部構造を示す正面図である。
【図１０】第４の実施形態のドラム式洗濯機の内部構造を示す背面図である。
【図１１】第５の実施形態のドラム式洗濯機の内部構造を示す正面図である。
【図１２】第５の実施形態のドラム式洗濯機の内部構造を示す背面図である。
【発明を実施するための形態】
【００１１】
以下、実施例を図面を用いて説明する。
【実施例１】
【００１２】
以下、本発明の実施の形態例について、図面を参照しながら説明する。
【００１３】
図１は、本発明の一実施形態に係るドラム式洗濯機１００の外観を示す図であり、（ａ）は平面図、（ｂ）は正面図である。図２は、図１に示されるドラム式洗濯機１００の内部の構造を示す側面図である。図３はドラム式洗濯機１００の内部の構造を示す正面図である。なお、説明を明確にするため図１に示すように前後、左右、上下の方向を設定する。また、図３の矢印は脱水時のドラムの回転方向を示す。
【００１４】
図１に示すように、ドラム式洗濯機１００は外郭が鋼板と樹脂成形品とを組み合わせて構成された外枠１を有している。外枠１は、ベース１ｆを備えており、左右の側板１ａ、１ｂ、前面カバー１ｃ、背面カバー１ｄ、及び上面カバー１ｅがベース１ｆの上方に取り付けられて、箱状の外枠１が形成されている。
【００１５】
前面カバー１ｃの略中央には、衣類等の洗濯物をドラム３（図２参照）内に出し入れする投入口（図示せず）が形成されており、投入口を介して洗濯物を出し入れする際に開閉されるドア７が、ヒンジ機構（図示せず）により開閉可能に取り付けられている。ドア７の右側には、ドア７のロック機構（図示せず）を解除するための取手７ａが設けられている。取手７ａを手前に引くことで、ロック機構が外れてドア７が開き、ドア７を前面カバー１ｃに押し付けることでロックされて閉じるようになっている。
【００１６】
外枠１の上部には、電源スイッチ、操作スイッチ、コース設定ダイヤル、表示器等を備えた操作パネル６が設けられている。操作パネル６の左側には、洗剤、仕上げ剤等を投入するための引出し式の洗剤ボックス（洗剤投入部）１１が配置されている。
【００１７】
図２に示すように、ドラム式洗濯機１００は外枠１内に、洗濯物を収容し得る内槽としてのドラム３を備える。ドラム３は当該ドラム３に結合されたシャフト２０を中心に回転可能である。ドラム３の前側端面には、洗濯物を出し入れするための開口部３ａが形成されており、この開口部３ａの半径方向外側には、ドラム３と一体の流体バランサ３ｂが設けられている。
【００１８】
ドラム３に結合されたシャフト２０は、ここでは水平に設定されている。但し、開口部３ａ側が高くなるようにドラム３の回転軸が傾斜させられてもよい。このような場合、ドラムの回転軸より下もしくは上とは、ドラム３の回転軸を外枠１の側面に投影した際の位置を基準とする。なお、図２ではドラム式洗濯機１００の左の側板１ａ、背面カバー１ｄ（図示せず）、及び上面カバー１ｅが外された状態が示されている。
【００１９】
また、図２に示すように、ドラム式洗濯機１００は、ドラム３が内部に配置され水を貯める後面を閉じた円筒形状の外槽２を、ドラム３と同軸上に備えており、外槽２は、外枠１に支持されている。外槽２の背面側中央には、シャフト２０を回転駆動するためのモータ４が取り付けられており、シャフト２０は、外槽２を貫通し、ドラム３と結合している。
【００２０】
図２および図３に示すように、外槽２は下側をベース１ｆに固定された防振支持機構５で防振支持されている。防振支持機構５は外槽２の重量を支持するサスペンション５ａと外槽２の振動を減衰するダンパ５ｂで構成される。外槽２の最下部には、排水口（図示せず）が設けられている。排水口は、排水管（図示せず）を介して排水ポンプ１２に接続されており、外槽２内の洗濯水は、排水口から排水管を経て機外へ排出されるように構成されている。また、外槽２の左側下部には外槽２の振動変位を検出する振動検出装置３０が設置されている。振動検出装置３０によって検出した外槽２の変位が所定の値よりも大きい場合は、ドラム３の回転を停止し、再起動を行う。このようにすることでドラム式洗濯機１００を安全に起動させることが可能となる。振動検出装置３０に近い位置に排水ポンプ１２があるとノイズの原因となるため、排水ポンプ１２は振動検出装置３０と左右方向の逆側に設置する。図３では、振動検出装置３０を左側に設置し、排水ポンプ１２を右側に設置している。
【００２１】
外枠１内の上部左側には、外槽２内に水、洗剤、仕上げ剤等を供給する液体供給ユニット１０が設けられている。外枠１の背面の上部左側には、水道栓からの給水ホース接続口８が設けられている。給水ホース接続口８は給水弁９に連結されている。
【００２２】
図２に示すように、外槽２の前側端部には、外槽カバー２１が取り付けられている。外槽カバー２１の前側端面には開口部２１ａが設けられており、ドア７を閉じることで外槽２が水封されるようになっている。
【００２３】
次にドラム式洗濯機１００の振動について図４を用いて説明する。ドラム式洗濯機１００では最終的な脱水回転速度に到達するまでに、複数の振動モードが現れる。振動を検知するセンサはこれら全ての振動モードに対して、精度よく検知する必要がある。
【００２４】
図４はドラム３の回転速度を上昇させたときの、外槽２の振動モードの変化を示す。ここでは左右方向をｘ軸、上下方向をｙ軸、前後方向をｚ軸とする。まず、ドラム３の回転速度が１５０ｒ／min程度で前後方向に並進する振動モード（図４（ａ））が現れ、ほぼ同じ回転速度で左右方向に並進する振動モード（図４（ｂ））が現れる。この前後方向の並進振動は加振力が伝わりにくい方向であるため、実際の運転では大きな振動となることは少ない。さらにドラム３の回転速度を上昇させると２００ｒ／min付近で上下方向の並進振動（図４（ｃ））、及びｙ軸に平行な軸周りの回転運動（図４（ｄ））が現れる。図中のＡは回転運動の中心軸である。ドラム３の回転速度を上昇させると３００ｒ／min程度でｘ軸に平行な軸周りの回転運動（図４（ｅ））が現れる。図中のＢは回転運動の中心軸である。ｙ軸に平行な軸周りの回転運動とｘ軸に平行な軸周りの回転運動は支持の構成が近いために、共振する回転速度が近い。ｙ軸に平行な軸周りの回転運動の方が、低い回転速度で現れる場合が多い。さらに、ドラム３の回転速度を上昇させると、外槽２の変位は徐々に小さくなっていく。以上のように、ドラム３の回転速度を上昇させると複数の振動モードが現れる。そこで、これらの振動モードの全てにおいて、検知可能な位置に振動検出装置３０を設置することが望ましい。
【００２５】
図４（ｄ）、（ｅ）などのような回転運動の場合、振動の回転軸になる位置が存在する。例えば、図５（ａ）に示すように、ｙ軸に平行な軸周りの回転運動のみが発生した場合、回転運動の中心軸上の点ではｘ軸方向、ｙ軸方向、ｚ軸方向の全てにおいて変位（加速度）がほぼ生じない振動の節となる。従って、外槽２は振動しているが、振動検出装置３０の位置では加速度が生じないため、外槽２の振動を検出することが困難である。一方、回転軸から遠い位置になる程変位が大きくなり、検出が容易になる。そこで、使用する全ての回転速度領域で振動の回転軸となることなく、出力を得ることが重要となる。
【００２６】
ドラム式洗濯機１００のような振動系の場合、図４に示す振動モードが単独で現れることは少なく、複数の振動モードが同時に現れる場合が多い。２００ｒ／min程度でドラム３が回転している時の振動の状態を図５に示す。ここで、２００ｒ／minはｙ軸と平行な軸周りの回転運動の共振回転速度とする。ドラム３の回転方向は反時計回りである。脱水時のドラム３の回転方向は、最終的に上昇する回転速度で回転する方向を指す。ｙ軸と平行な軸周りの回転運動とｘ軸と平行な軸周りの回転運動に分けて考える。
【００２７】
図５（ａ）、（ｂ）にｙ軸に平行な軸周りの回転運動の様子を示す。図５（ａ）は上面図、図５（ｂ）は斜視図である。図５に示すＣは、回転運動の中心軸である。ドラム式洗濯機１００の場合、ドラム３を駆動するモータ４は外槽２の後部に設置する場合が多い。さらに、シャフト２０でドラム３と外槽２を後方で支持するため、強度を増すための部材がドラム３、外槽２の後部に設置されている。また、外槽２やドラム３の前方は衣類を投入するために開放されている。このように、外槽２の後方は重量が大きく、前方は小さいため、外槽２とドラム３を含む振動部の重心は後方になる。これにより、振動の回転軸が図５（ａ）に示すＣの位置のように、振動部の後方になる。図中の矢印は、振動の大きさと方向を示している。実線の矢印は図５（ｂ）に示すアンバランス状態の時の振動方向を示し、点線の矢印は図５（ｂ）からドラム３が１８０度回転した時の振動方向を示している。
【００２８】
一般に、共振よりも十分に低い回転速度の場合、加振力と振動変位に位相の差は小さい。共振回転速度に近づくと加振力に対して徐々に振動変位の位相が遅れ、共振回転速度では９０度遅れる。さらに回転速度を上昇させると位相の遅れが大きくなり、十分に高い回転速度では１８０度遅れる。２００ｒ／minは左右方向の振動の共振回転速度付近であるため、アンバランスの位置に対して変位が９０度遅れる。従って、図５（ｂ）に示すように、前側のアンバランスが下部に来た時に外槽２の前方は左に大きく変位する。この振動を検出するためには、回転運動の中心軸から離れた外槽２の前方の左右振動、もしくは外槽２の左右の両端付近の前後振動を検出することで回転角度を求めることができる。一方、回転運動の中心軸付近では加速度がほぼ生じない振動の節となるため、振動検出手段３０による検出ができない。
【００２９】
次に、図５（ｃ）、（ｄ）にｘ軸に平行な軸周りの回転運動を示す。図５に示すＤは、回転運動の中心軸である。図５（ｃ）は外槽２を上方から見た時の、外槽２の下部の振動を示す。図５（ｄ）はアンバランスの位置と振動の方向を示す斜視図である。ｘ軸周りの回転運動の共振回転速度は３００ｒ／min付近であるため、ドラム３の回転速度が２００ｒ／minであれば十分に小さく、アンバランスの位置と振動変位の位相の差は小さい。すなわち、前方のアンバランスが下部にある時に外槽２の下部は後に大きく変位する。この変位を検出するためには、外槽２の上下の両端付近の前後変位、もしくは、外槽２の前端の上下変位を検出することで求められる。
【００３０】
図５（ａ）、（ｃ）に示す振動が同時に現れると、外槽２の下部の振動は図５（ｅ）に示すような振動となる。前後方向の振動変位に着目すると、ｙ軸に平行な軸周りの回転運動によって、外槽２の左側は後に変位し、右側は前に変位する。一方、ｘ軸周りの回転運動によって、外槽２の下部は後に変位する。従って、外槽２の右側は２つの振動モードによる前後変位が相殺するため、変位が小さくなる。一方、左側は２つの振動モードの振動方向が同じであるため、変位が大きくなる。従って、振動検出装置３０を外槽２の左側、かつドラム３の回転軸と振動検出装置３０を外枠１の側面に投影したときに、振動検出装置３０がドラム３の回転軸よりも下部になるように設置することで加速度の検出が容易になる。
【００３１】
さらに、上記の２つの振動を切り分けるためには、前後振動以外に外槽２の前方の上下、もしくは左右方向を検出する必要があるため、振動検出手段３０を外槽２の前方に設置することが望ましい。このように少なくとも２つの軸、例えばｘ軸とｚ軸で加速度を検出することで、振動を切り分けることが可能となる。
【００３２】
外槽２の下部に振動検出装置３０を設置できない場合、外槽２の上部に設置することになるが、外槽２の上部は下部と前後方向の振動の向きが逆になるため、脱水時に衣類が持ち上げられる方向に設置することが望ましい。
【００３３】
本実施の形態例では、図２および図３に示すように振動検出装置３０を外槽２の側面に設置しているが、必ずしも外槽２の側面に設置する必要はなく、正面から見た時に提案する位置となっていれば、外槽２の背面や外槽カバー２１に設置してもよい。さらに、外槽２の振動を低減するために外槽２や外槽カバー２１に設置する重りや外槽２に取り付けた乾燥用の風路などに設置してもよい。
【００３４】
さらに、外槽２の支持は左右対称となることが多く、外槽２と防振支持機構５の左右の接続部の間は回転運動の中心軸もしくはそれに近い位置となるため、振動検出装置３０の設置位置として望ましくない。そこで、振動検出装置３０は防振支持機構５の左右の接続部よりも外側に設置することが望ましい。
【００３５】
図６に高精度に外槽２の振動を検出するための振動検出手段３０の設置位置を示す。図６（ａ）は正面図、図６（ｂ）は側面図である。図中のＦの範囲が本発明で提案する振動検出装置３０の設置位置である。図中の矢印はドラム３の回転方向を示している。ドラム３の回転方向が逆の場合は、図６（ａ）のＦの範囲を左右反転した位置が振動検出装置３０の設置位置である。
【００３６】
このようにすることで、振動検出装置３０を振動の節となる位置を避けて設置することができ、高い精度で検出をすることができる。
【００３７】
本実施例では、振動検出装置３０を変位が大きい位置に設置することで、検出精度の向上を行った。振動検出装置３０の検出範囲が小さく、振動変位が大きい位置に設置すると振動検出装置３０が飽和して正しく測定できない場合、本実施例で示した振動の回転運動の中心軸に近い位置に設置することで、外槽２の変位が小さい位置を測定することになり、振動検出装置３０の飽和を防止することが可能である。
【００３８】
本実施例のドラム式洗濯機１００は洗濯などに使った水を機体の外に排出するための排水ポンプ１３を有している。排水ポンプ１３は脱水の開始時や、脱水中にドラム３の回転を上昇させる際に動作させて外槽２の中にたまった水を排出する。従って、振動検出装置３０による外槽２の振動検出時にも動作することになるため、排水ポンプの動作によるノイズの影響を受けることとなる。そこで、排水ポンプ１３を振動検出装置３０が設置してある位置から離れた、左右方向に関して逆の位置に設置することが必要となる。このようにすることで、排水ポンプ１３の動作時のノイズの影響を低減することができ、高い精度で振動を検出することが可能となる。
【実施例２】
【００３９】
図７は他の実施例の外槽２の支持方法を示す模式図である。外槽２は上部を左右一対のサスペンション４１で支持し、下部を減衰機構であるダンパ４２で支持されている。外槽２のサスペンション４１、ダンパ４２の左右方向の内側は、ｙ軸に平行な軸周りの回転運動の中心軸、もしくは軸付近となる振動の節となるため、振動が小さい。従って、その位置に振動検出装置３０を設置すると、振動が小さく出力され、実際の振動を正しく測定することができない。そこで、振動検出装置３０はサスペンション４１やダンパ４２の外側に設置することが望ましい。ここで、ダンパ４２と同軸にサスペンション４３を設置し、外槽２の下部から支持する場合も同様に、サスペンション４１と外槽２の接続部の左右方向の外側に設置することが望ましい。
【実施例３】
【００４０】
図８は他の実施例の内部構造を示す模式図である。外槽２の下部には水の加熱するための加熱手段４３を有し、洗濯やすすぎの際の水を加熱し洗浄性能の向上を図っている。高温の水によって外槽２が温められると、外槽２に設置する振動検出装置３０の温度も上昇することになる。一般に振動検出装置３０が所定の温度以上になると、感度の変化や寿命の低下などが生じるため望ましくない。従って、振動検出装置３０は加熱手段４３や外槽２の温水が触れる部分から離して設置することが望ましい。そこで、外槽２のリブ（図示せず）や温水が触れる面に設けた突起４４に振動検出装置３０を設置する。このようにすることで、振動検出装置３０の温度上昇を抑えることができ、運転条件によらず検出精度を確保することが可能となる。
【実施例４】
【００４１】
図９、図１０はベルト５１をモータ５２とドラム３のシャフト（図示せず）に固定されたプーリー５３に接続することで、モータ５２の動力をドラム３に伝えるドラム式洗濯機の内部構造を示す図である。図９は内部構造が見えるように前面カバー１ｃと操作パネル６を外した正面図であり、図１０は内部構造が見えるように後面カバー１ｄを外して背面図である。図中の矢印は脱水時のドラム３の回転方向を示している。ベルト５１を介することでモータ５２を外槽２の背面に設置する必要がないために、前後方向の設置スペースを低減することができる構造となる。このような場合、モータ５２は外槽２の側面に設置することになる。ベルト５１を介する構成のドラム式洗濯機では、モータ５２に整流子モータを使用する場合が多い。整流子モータでは、コスト低減などの点から振動検出装置５４を設置しない場合が多い。脱水時にドラムを高速で回転させるためには、ドラム３内のアンバランス状態を把握する必要があるため、高速での脱水を行っていない。しかし、脱水性能を向上させるためには、ドラム３を高速で回転させる必要があり、整流子モータを使ったドラム式洗濯機においても、振動検出装置５４を採用する必要がある。整流子モータは高速で回転すると振動検出装置５４のノイズの原因となるため、整流子モータは振動検出装置５４の設置位置を避けた位置に設置することが望ましい。
【００４２】
図９に示すように、外枠１の上部は洗剤ボックス１１や基板５５などが配置されるため、モータ５２は外槽２の下部に設置することが望ましい。さらに、外枠１の内部を有効に使うために、外槽２の真下ではなく左右にずらして設置する。このようにすることで、本体の高さを低減することができる。モータ５２は振動検出装置５４のノイズの原因となるため、近くに設置することは望ましくない。そこで、振動検出装置５４はドラム３の回転方向に対して、衣類が落下する側の下部に設置することが望ましいため、モータ５２は振動検出装置５４の逆側となる脱水時のドラム３の回転方向に対して、衣類が持ち上がる側に設置することが望ましい。このようにすることで、モータ５２によるノイズの影響を低減することができ、高精度に振動を検出することが可能となる。
【００４３】
本実施例で振動検出装置５４を外槽２の左下となる位置に設置しているが、直接外槽２の円筒部に設置すると、振動検出装置５４を固定するためのネジが貫通しないように、外槽２の板厚を大きくする必要がある。そこで、図９に示すように、外槽２に突起部５４ａを設け、振動検出装置５４を突起部５４ａに設置することで、必要以上に外槽２の板厚を大きくすることがなくなる。また、図９に示す位置に振動検出装置５４を外槽２の径方向に固定すると、振動検出装置５４の検出方向が略水平方向、上下方向とならないため、外槽３の振動の検出が難しくなる。そこで、外槽２に設ける突起部５４ａは略水平方向もしくは略上下方向となることが望ましく、本実施例では略水平方向となるように設置している。
【実施例５】
【００４４】
図１１および図１２にベルト５１をモータ５２とドラム３のシャフト（図示せず）に固定されたプーリー５３に接続することで、モータ５２の動力をドラム３に伝えるドラム式洗濯機で、振動検出装置５４を上部に設置する場合のドラム式洗濯機の内部構造を示す。図１１は内部構造が見えるように前面カバー１ｃと操作パネル６を外した正面図であり、図１２は内部構造が見えるように後面カバー１ｄを外した背面図である。図中の矢印は脱水時のドラム３の回転方向を示している。操作パネル６は操作性の観点から外枠１の上部に設置することが望ましい。操作パネル６と基板５５とを電気的に接続するために配線５６でつなぐ必要がある。近い位置に設置することで配線５６の長さを短くすることができるため、基板５５は外枠１の上部に設置することが望ましい。また、振動検出装置５４と基板５５を繋ぐ配線５６が長いとノイズの影響を受けやすくなるため、振動検出装置５４を外槽２の上部に設置することで配線５６を短くすることができる。さらに他の実施例でも述べたように、振動検出装置５４を外槽２の上部に設置する場合は、左右方向において脱水時のドラム２の回転方向に対して衣類が上昇する側に設置することが望ましい。図９に示すようにドラム２の回転方向が反時計回りの場合、右上となる。従って、基板５５も外枠１の右側に設置することで、振動検出装置５４と基板５５を繋ぐ配線５６を短くすることができ、ノイズの影響を低減することができる。
【００４５】
さらに、使いやすさや、給水のしやすさで洗剤ボックス１１は外枠１の上部に設置することが望ましい。基板５５が脱水時のドラム３の回転方向に対して衣類が上昇する側に設置するため、洗剤ボックス１１を反対側となる脱水時のドラム３の回転方向に対して衣類が落下する側の上部に設置することで、外枠１内の空間を有効に使うことができ、本体のサイズを小さくすることができる。
【００４６】
本実施例では、モータ５２の動力をベルト５１を介してドラム３に伝えるドラム式洗濯機を例に説明したが、ベルト５１を介してモータ５２の動力を伝えるドラム式洗濯機に限らず、モータ５２をドラム３の回転軸と同軸となるように設置し、直接駆動するドラム式洗濯機についても同様である。
【符号の説明】
【００４７】
１  外枠２  外槽３  ドラム４、５２  モータ５  防振支持機構６  操作パネル７  ドア８  給水ホース接続口９  給水弁１０  液体供給ユニット１１  洗剤ボックス１２  排水ポンプ２０  シャフト２１  外槽カバー３０、５３  振動検出装置４１  サスペンション４２  ダンパ５１  ベルト５４  乾燥用風路５５  基板５６  配線１００  ドラム式洗濯機
【図１】
2015096233.tif 000003
【図２】
2015096233.tif 000004
【図３】
2015096233.tif 000005
【図４】
2015096233.tif 000006
【図５】
2015096233.tif 000007
【図６】
2015096233.tif 000008
【図７】
2015096233.tif 000009
【図８】
2015096233.tif 000010
【図９】
2015096233.tif 000011
【図１０】
2015096233.tif 000012
【図１１】
2015096233.tif 000013
【図１２】
2015096233.tif 000014